(57)【要約】【課題】  猫用と犬用の両方の簡易トイレを成形することができる簡易トイレ成形用板材を提供する。【解決手段】  底部パネル２と底部パネル２の周縁部に設けられた複数の側壁パネル３，４，５，６とを有し、該複数の側壁パネル３，４，５，６を立ち上げて隣り合う側壁パネルの側部同士を突き合わせて前記底部パネル２の周囲から立ち上がる側壁を形成することにより上部が開口した容器形状に成形して簡易トイレを成形する簡易トイレ用成形用紙１であって、前記側壁パネル３，４，５，６を、中間折線１１，１２，１６，１７を介して連接された上部側壁パネル３ａ，４ａ，５ａ，６ａと下部側壁パネル３ｂ，４ｂ，５ｂ，６ｂとで形成した。【選択図】  図１
2005185186.tif 000002
【特許請求の範囲】
【請求項１】
底部パネルと該底部パネルの周縁部に設けられた複数の側壁パネルとを有し、該複数の側壁パネルを立ち上げて隣り合う側壁パネルの側部同士を突き合わせて前記底部パネルの周囲から立ち上がる側壁を形成することにより上部が開口した容器形状に成形して簡易トイレを成形する簡易トイレ成形用板材であって、
前記側壁パネルを、中間折線を介して連接された上部側壁パネルと下部側壁パネルとで形成した
ことを特徴とする簡易トイレ成形用板材。
【請求項２】
前記複数の側壁パネルを立ち上げたときに隣り合う側壁パネル同士を結合させるための結合手段を隣り合う側壁パネルの突き合わせ側部に設けてなり、
前記結合手段を、前記隣り合う側壁パネルのうち、何れか一方の側壁パネルにスリットを形成するとともに、何れか他方の側壁パネルに、基部と該基部から突出させて幅広に形成した係止部とを有し前記スリットに挿し込んで前記係止部を前記一方の側壁パネルに係止させる係止片を形成することにより構成した
ことを特徴とする請求項１に記載の簡易トイレ成形用板材。
【請求項３】
前記隣り合う下部側壁パネルの間に、該隣り合う下部側壁パネルの各側縁部に境界折線を介して連接された隙間充填パネルを設け、該隙間充填パネルには、前記側壁パネルを立ち上げて隣り合う側壁パネルの側部同士を突き合わせて前記側壁を形成するときに該隙間充填パネルを内側に折り込み可能な斜め折線を形成した
ことを特徴とする請求項１又は２に記載の簡易トイレ成形用板材。
【発明の詳細な説明】
【技術分野】
【０００１】
本発明は、主としてペット用に用いられる簡易トイレを、折り曲げて成形するための簡易トイレ成形用板材に関する。
【背景技術】
【０００２】
室内において犬や猫などのペットを飼う場合、ペット用のトイレが室内の決まった場所に置かれている。従来、このような室内に置かれるペット用のトイレとして、プラスチック製の上部が開口した容器が知られている。（例えば、特許文献１参照。）。
【０００３】
このようなペット用トイレは、猫用に用いる場合には容器の底部に砂などを敷き詰め、犬用に用いる場合には容器の底部にトイレ用のシートを敷いて用いるようになっている。そして、猫や犬は、このようなペット用トイレの容器底部の砂の上やトイレ用のシートの上で排泄を行うようになっている。
【特許文献１】特開平１０−２２５２４３号公報
【発明の開示】
【発明が解決しようとする課題】
【０００４】
ところで、ペット用のトイレにあっては、猫用に用いるものと犬用に用いるものとで、容器の側壁の高さを変えることが必要であり、具体的には、犬用よりも猫用のものの側壁の高さを高くする必要がある。これは、猫用のトイレには砂が敷き詰められており、排泄を終えた猫は後ろ足で排泄場所に砂をかけ、砂を跳ね飛ばすことから、容器の外に砂が飛び散らないように側壁を高くする必要があるが、犬用のトイレには、砂の代わりにトイレ用のシートを敷き、この上に排泄をさせることから、猫用のトイレのように砂が飛び散るようなことはないことから側壁を高くする必要はなく、むしろ、小型犬が抵抗なく側壁を跨ぐことができるよう側壁を低くすることが望ましいからである。
【０００５】
したがって、これまでのペット用トイレは、猫用のものと犬用のものとに分かれており、猫用と犬用の両方に用いることができるようになっているものはない。
【０００６】
本発明の目的は、このような事情に鑑み、猫用と犬用の両方の簡易トイレを成形することができる簡易トイレ成形用板材を提供することにある。
【課題を解決するための手段】
【０００７】
上記課題を解決するために、請求項１に記載の発明は、底部パネルと該底部パネルの周縁部に設けられた複数の側壁パネルとを有し、該複数の側壁パネルを立ち上げて隣り合う側壁パネルの側部同士を突き合わせて前記底部パネルの周囲から立ち上がる側壁を形成することにより上部が開口した容器形状に成形して簡易トイレを成形する簡易トイレ成形用板材であって、前記側壁パネルを、中間折線を介して連接された上部側壁パネルと下部側壁パネルとで形成したことを特徴とする。
【０００８】
請求項２に記載の発明は、請求項１に記載の前記複数の側壁パネルを立ち上げたときに隣り合う側壁パネル同士を結合させるための結合手段を隣り合う側壁パネルの突き合わせ側部に設けてなり、前記結合手段を、前記隣り合う側壁パネルのうち、何れか一方の側壁パネルにスリットを形成するとともに、何れか他方の側壁パネルに、基部と該基部から突出させて幅広に形成した係止部とを有し前記スリットに挿し込んで前記係止部を前記一方の側壁パネルに係止させる係止片を形成することにより構成したことを特徴とする。
【０００９】
請求項３に記載の発明は、請求項１又は２に記載の前記隣り合う下部側壁パネルの間に、該隣り合う下部側壁パネルの各側縁部に境界折線を介して連接された隙間充填パネルを設け、該隙間充填パネルには、前記側壁パネルを立ち上げて隣り合う側壁パネルの側部同士を突き合わせて前記側壁を形成するときに該隙間充填パネルを内側に折り込み可能な斜め折線を形成したことを特徴とする。
【発明の効果】
【００１０】
請求項１に記載の発明によれば、前記側壁パネルを立ち上げて隣り合う側壁パネルの側部同士を突き合わせて前記側壁を形成して上部が開口した容器形状に成形することにより、簡易トイレを得ることができる。このとき、猫用の簡易トイレを成形する場合には、前記側壁パネルは、前記上部側壁パネルと前記下部側壁パネルの間の前記中間折線で折り曲げずに前記側壁を形成する。このとき、該側壁は、前記側壁パネルの高さ、すなわち、前記上部側壁パネルと前記下部側壁パネルとを合わせた高さを有する。一方、犬用の簡易トイレを成形する場合には、前記側壁パネルは、前記上部側壁パネルと前記下部側壁パネルの間の前記中間折線で折り曲げ、上部側壁パネルと下部側壁パネルとを重ねるようにした状態で前記側壁を形成する。このとき、前記側壁は、下部側壁パネルの高さを有し、猫用のものよりも低くなっている。
【００１１】
以上のように、本発明に係る簡易トイレ成形用板材によれば、簡易トイレの側壁の高さを変えることができ、猫用と犬用の両方の簡易トイレを成形することができる。そして、このように一種類の簡易トイレ成形用板材で猫用と犬用の両方の簡易トイレを成形することができ、猫用のトイレと犬用のトイレのそれぞれについての成形用板材を製造する必要がないので、製造コストを下げることもできる。
【００１２】
また、前記成形用板材を折り畳むことによりコンパクトにすることができ、簡単に持ち運びをすることができる。
【００１３】
請求項２に記載の発明によれば、隣り合う側壁パネルを立ち上げ、前記一方の側壁パネルに形成した前記スリットに、前記他方の側壁パネルに形成した前記係止片を挿し込んで前記係止部を前記一方の側壁パネルに係止させることにより、隣り合う側壁パネル同士を結合して前記側壁を形成することができる。これにより、上部が開口した容器形状の簡易トイレを得ることができる。
【００１４】
請求項３に記載の発明によれば、前記側壁パネルを立ち上げて隣り合う側壁パネルの側部同士を突き合わせて前記側壁を形成するときに、前記隙間充填パネルを前記境界折線及び前記斜め折線で折り曲げて内側に折り込んで成形を行う。このようにして成形された簡易トイレは、前記隙間充填パネルにより隣り合う下部側壁パネル同士の隙間を塞ぐことができる。これにより、容器形状に成形されて得られた簡易トイレの中に砂などを敷き詰めて使用しても、隣り合う下部側壁パネル同士の隙間から砂などが漏れてしまうことを防止することができる。
【発明を実施するための最良の形態】
【００１５】
以下、図面を参照して本発明に係る簡易トイレ成形用板材の実施の形態の一例について詳細に説明する。
【００１６】
なお、以下の実施の形態においては、本発明に係る簡易トイレ成形用板材として、紙素材よりなる簡易トイレ成形用紙を例に挙げて説明する。
【００１７】
図１は簡易トイレ成形用紙の第１の実施の形態を示す展開図である。
【００１８】
図において、符号１は本例の簡易トイレ成形用紙を示しており、この簡易トイレ成形用紙１は、ボール紙等の少なくとも一面側、具体的には容器形状に成形したときの内側となる側の面に、熱可塑性樹脂を被覆してなり、防水性を有する紙素材で形成されている。
【００１９】
簡易トイレ成形用紙１は、長方形形状の底部パネル２を有し、この底部パネル２の周縁部に４枚の側壁パネル３，４，５，６を有している。各側壁パネル３，４，５，６は、底部パネル２の各辺の側縁部２ａ，２ｂ，２ｃ，２ｄに折線７，８，９，１０を介して連接されている。
【００２０】
前記側壁パネル３，４は、底部パネル２の長辺の側縁部２ａ，２ｂに連接されており、上部側壁パネル３ａ，４ａ及び下部側壁パネル３ｂ，４ｂとで形成されている。この上部側壁パネル３ａ，４ａ及び下部側壁パネル３ｂ，４ｂは、ほぼ同じ幅（高さ）を有しており、中間折線１１，１２を介して連接されている。
【００２１】
上部側壁パネル３ａ，４ａは、その長手方向の長さが、下部側壁パネル３ｂ，４ｂの長さよりも長くなるように形成されており、下部側壁パネル３ｂ，４ｂよりも長い部分にはスリット１３が形成されて、後述する隙間充填パネルとは切り離された状態となっている。また、上部側壁パネル３ａ，４ａの両側の側部には、スリット１４が形成されている。このスリット１４は、上部側壁パネル３ａ，４ａの幅方向に形成されており、また下部側壁パネル３ｂ，４ｂの側縁部の延長線上に形成されている。このスリット１４には、側壁パネル３，４，５，６を立ち上げて隣り合う側壁パネル（具体的には、側壁パネル３と側壁パネル５，側壁パネル４と側壁パネル５，側壁パネル４と側壁パネル６，側壁パネル３と側壁パネル６、以下同じ）を結合させる際に後述の係止片が挿し込まれるようになっている。上部側壁パネル３ａ，４ａの幅方向に形成されたスリット１４の両端部には、これと直交する方向に小スリット１５が形成されており、スリット１４への前記係止片の挿し込みをよりスムーズに行うことができるようになっている。
【００２２】
前記側壁パネル５，６は、底部パネル２の短辺の側縁部２ｃ，２ｄに連接されており、上部側壁パネル５ａ，６ａ及び下部側壁パネル５ｂ，６ｂとで形成されている。この上部側壁パネル５ａ，６ａ及び下部側壁パネル５ｂ，６ｂは、ほぼ同じ幅（高さ）を有しており、中間折線１６，１７を介して連接されている。
【００２３】
前記上部側壁パネル５ａ，６ａの長手方向の両側縁部には、係止片１８が形成されている。この係止片１８は、前記スリットに挿し込むことができる幅を有する基部１８ａと該基部１８ａよりも先端側に形成され該基部１８ａから幅方向に突出させて幅広に形成された係止部１８ｂとを一体に有して構成され、略Ｔ字形状に形成されている。前記係止部１８ｂには、前記基部１８ａの延長線上にそれぞれ折線１９，１９が形成されており、この折線１９，１９で折り曲げることによって係止部１８ｂを前記基部１８ａの幅と同幅とすることにより、係止片１８は前記スリット１４に挿し込むことができるようになっている。
【００２４】
隣り合う側壁パネルのそれぞれの側部に設けられたスリット１４と係止片１８は、側壁パネル３，４，５，６を立ち上げたときに隣り合う側壁パネル同士を結合させるための結合手段を形成している。すなわち、側壁パネル３，４，５，６を立ち上げて隣り合う側壁パネルの側部同士を突き合わせたときに、該隣り合う側壁パネルのうちの一方の側壁パネル３又は４の側部（突き合わせ側部）のスリット１４に他方の側壁パネル５又は６の側部（突き合わせ側部）の係止片１８を挿し込み、該係止片１８の前記係止部１８ｂを一方の側壁パネル３又は４に係止させることにより、隣り合う側壁パネル同士を結合させることができるようになっている。
【００２５】
前記下部側壁パネル５ｂ，６ｂには、前記中間折線１６，１７から幅方向に所定の長さを有してスリット２０，２０が形成されている。各スリット２０は、後述する隙間充填パネルの挿し込み片を挿し込むためのものであり、下部側壁パネル５ａ，６ｂの側縁部から前記隙間充填パネルの挿し込み片を挿し込むことができる距離を有する位置に形成されている。
【００２６】
前記隣り合う下部側壁パネル３ｂと５ｂ、４ｂと５ｂ，４ｂと６ｂ，３ｂと６ｂの間には、これら隣り合う下部側壁パネル３ｂと５ｂ、４ｂと５ｂ，４ｂと６ｂ，３ｂと６ｂの各側縁部に境界折線２１ａ，２１ｂを介して連接された隙間充填パネル２２が設けられている。
【００２７】
この隙間充填パネル２２には、下部側壁パネル５ｂ，６ｂの中間折線１６，１７の延長線上の側縁部から三角形状に切り欠かれた切欠２３が形成されている。また、隙間充填パネル２２には、切欠２３よりも外側の部分、すなわち切欠２３よりも側壁パネル５，６とは反対側の部分に、挿し込み片２４が形成されている。この挿し込み片２４は、隙間充填パネル２２を内側に折り込みながら側壁パネル３，４，５，６を立ち上げて隣り合う側壁パネルの側部同士を突き合わせて結合した後に、隙間充填パネル２２が連接されている下部側壁パネル５ｂ又は６ｂに形成されたスリット２０に挿し込まれるようになっている。
【００２８】
さらに、前記隙間充填パネル２２には、前記切欠２３の頂点部分から底部パネル２の頂点部分にまで達する斜め折線２５が形成されている。
【００２９】
次に、このように構成された簡易トイレ成形用紙１を用いての簡易トイレの成形について説明する。
【００３０】
先ず、猫用に用いる簡易トイレを成形する工程の一例について図２乃至図５を参照して説明する。
【００３１】
図２は、猫用の簡易トイレを示す斜視図である。
【００３２】
図において、符号３０は猫用の簡易トイレを示しており、この猫用の簡易トイレ３０は、底部パネル２の周囲から立ち上がる側壁３１を有し、上部が開口した容器形状に成形されている。前記側壁３１は、隣り合う側壁パネルを立ち上げて該隣り合う側壁パネル同士を結合することにより形成され、これによって猫用の簡易トイレ３０が成形されている。前記側壁３１は、側壁パネル３，４，５又は６の高さ（幅）、すなわち、上部側壁パネル３ａ，４ａ，５ａ又は６ａと下部側壁パネル３ｂ，４ｂ，５ｂ又は６ｂとを合わせた高さ（幅）を有している。
【００３３】
このような猫用の簡易トイレ３０を成形するための隣り合う側壁パネル同士の結合は、例えば、以下のようにして行う。
【００３４】
図３〜図５に、猫用の簡易トイレ３０を形成する際の側壁パネル３と側壁パネル６の結合の様子の一例を示す。これら側壁パネル３と側壁パネル６とを結合するには、先ず簡易トイレ成形用紙１の折線７で折り曲げて側壁パネル３を立ち上げる。このとき、下部側壁パネル３ｂの側縁部に連接された隙間充填パネル２２も境界折線２１ｂ（下部側壁パネル６ｂとの境界部分の境界折線）で折り曲げて側壁パネル３と一緒に立ち上がる。
【００３５】
次に、側壁パネル６を折線１０で折り曲げて立ち上げる。このとき、隙間充填パネル２２を、境界折線２１ａ（下部側壁パネル３ｂとの境界部分の折線）で内側に折り曲げるとともに、前記斜め折線２５で谷折りに折り曲げ、内側に折り込む。そして、前記係止片１８の係止部１８ｂを前記折線１９，１９で折り曲げることによって係止部１８ｂを前記基部１８ａの幅と同幅とした後、側壁パネル６を底部パネル２に対して直角に立ち上げ、係止片１８を前記上部側壁パネル３ａのスリット１４に外側に向かって挿し込む。このとき、スリット１４への係止片１８の挿し込みが容易に行えるよう、上部側壁パネル３ａの長さ方向の端部の部分を外側に反らせた状態で係止片１８のスリット１４への挿し込みを行う。そして、係止部１８ｂが完全にスリット１４を通過した後、前記係止部１８ｂを広げることにより、係止片１８を側壁パネル３に係止させるとともに、外側に反らせていた前記上部側壁パネル３ａの長さ方向の端部の部分を元に戻す。
【００３６】
以上により、側壁パネル３と側壁パネル６とが結合される。そして、同様にして他の隣り合う側壁パネル同士を結合させることにより側壁３１が形成され猫用の簡易トイレ３０が成形される。
【００３７】
なお、図６に示すようにして内側に折り込まれた状態の前記隙間充填パネル２２は、その挿し込み片２４を下部側壁パネル５ｂ又は６ｂに形成されたスリット２０に内側から外側に向かって挿し込むことにより、側壁３１の一部を構成する（図２参照）。そして、この隙間充填パネル２２により、隣り合う下部側壁パネルの側部同士の隙間が覆われるようになっている。
【００３８】
次に、犬用に用いる簡易トイレを成形する工程の一例について、図７乃至図１０を参照して説明する。
【００３９】
図７は、犬用の簡易トイレを示す斜視図である。
【００４０】
図において、符号４０は犬用の簡易トイレを示しており、この犬用の簡易トイレ４０は、底部パネル２の周囲から立ち上がる側壁４１を有し、前記猫用の簡易トイレ３０と同様、上部が開口した容器形状に成形されている。前記側壁４１は、隣り合う側壁パネルを立ち上げて該隣り合う側壁パネル同士を結合することにより形成され、これによって犬用の簡易トイレ４０が成形されている。前記側壁４１は、側壁パネル３，４，５，６が中間折線１１，１２，１６，１７で折り曲げられ、下部側壁パネル３ｂ，４ｂ，５ｂ又は６ｂの高さ（幅）、或いは上部側壁パネル３ａ，４ａ，５ａ，６ａの高さ（幅）を有して形成されており、前記猫用の簡易トイレ３０の側壁３１よりも高さが低くなっている。
【００４１】
このような犬用の簡易トイレ４０を成形するための隣り合う側壁パネル同士の結合は、例えば、以下のようにして行う。
【００４２】
図８〜図１０に、犬用の簡易トイレ４０を成形する際の側壁パネル３と側壁パネル６の結合の様子の一例を示す。これら側壁パネル３と側壁パネル６とを結合するには、先ず簡易トイレ成形用紙１の折線７（図８においては不図示）で折り曲げて側壁パネル３を立ち上げ、立ち上げた側壁パネル３の上部側壁パネル３ａを中間折線１１で外側に折り曲げる。このとき、下部側壁パネル３ｂの側縁部に連接された隙間充填パネル２２も境界折線２１ｂ（下部側壁パネル６ｂとの境界部分の境界折線）で折り曲げて側壁パネル３と一緒に立ち上がる。
【００４３】
次に、側壁パネル６を折線１０で折り曲げて立ち上げるとともに、立ち上げた側壁パネル６の上部側壁パネル６ａを中間折線１７で外側に折り曲げる。そして、このとき、隙間充填パネル２２を、境界折線２１ａ（下部側壁パネル３ｂとの境界部分の境界折線）で内側に折り曲げるとともに、前記斜め折線２５で谷折りに折り曲げ、内側に折り込む。そして、前記係止片１８の係止部１８ｂを前記折線１９，１９で折り曲げることによって係止部１８ｂを前記基部１８ａの幅と同幅とした後、側壁パネル６を底部パネル２に対して直角に立ち上げ、係止片１８を前記上部側壁パネル３ａのスリット１４に外側に向かって挿し込む。このとき、スリット１４への係止片１８の挿し込みが容易に行えるよう、上部側壁パネル３ａの長さ方向の端部の部分を外側に反らせた状態で係止片１８のスリット１４への挿し込みを行う。そして、係止部１８ｂが完全にスリット１４を通過した後、前記係止部１８ｂを広げることにより、係止片１８を側壁パネル３に係止させるとともに、外側に反らせていた前記上部側壁パネル３ａの長さ方向の端部の部分を元に戻す。
【００４４】
以上により、側壁パネル３と側壁パネル６とが結合される。そして、同様にして他の隣り合う側壁パネル同士を結合させることにより側壁４１が形成され犬用の簡易トイレ４０が成形される。このとき、側壁４１は上部側壁パネル３ａ，４ａ，５ａ又は６ａと下部側壁パネル３ｂ，４ｂ，５ｂ又は６ｂとを重ね合わせた状態で形成されている。
【００４５】
なお、内側に折り込まれた前記隙間充填パネル２２は、前記猫用の簡易トイレ３０と同様、挿し込み片２４を下部側壁パネル５ｂ又は６ｂに形成されたスリット２０に挿し込むことにより、側壁４１の一部を構成する（図２参照）。そして、この隙間充填パネル２２により、隣り合う側壁パネルの側部同士の隙間が覆われるようになっている。
【００４６】
以上説明した本例の簡易トイレ成形用紙１によれば、猫用に用いるときと犬用に用いるときとで簡易トイレの側壁の高さを変えることができ、猫用と犬用の両方の簡易トイレを成形することができる。そして、このように一種類の簡易トイレ成形用紙で猫用と犬用の両方の簡易トイレを成形することができ、猫用のトイレと犬用のトイレのそれぞれについての成形用紙を製造する必要がないので、製造コストを下げることもできる。
【００４７】
また、簡易トイレ成形用紙１は紙素材で形成されるので安価であり使い捨てが可能である。さらに、簡易トイレ成形用紙１は、適当に折り畳んでコンパクトにすることができるので簡単に持ち運びをすることができ、例えば旅行に行くときなどに携帯することも可能であり、便利である。
【００４８】
また、前記隙間充填パネル２２により、隣り合う下部側壁パネル同士の隙間を塞ぐことができるので、猫用の簡易トイレ３０の中に砂などを敷き詰めて使用しても、隣り合う下部側壁パネル同士の隙間から砂などが漏れてしまうことを防止することができる。
【００４９】
次に、簡易トイレ成形用紙の第２の実施の形態について説明する。
【００５０】
図１１は本発明に係る簡易トイレ成形用紙の第２の実施の形態を示す展開図である。
【００５１】
本例の簡易トイレ成形用紙５０は、上記第１の実施の形態の簡易トイレ成形用紙と同様、底部パネル２、側壁パネル３，４，５，６、隙間充填パネル２２を有して構成されている。以下、これら各構成部分について、上記第１の実施の形態と異なる部分のみを説明し、同様の部分については説明を省略する。
【００５２】
本例の簡易トイレ成形用紙５０においては、側壁パネル３の上部側壁パネル３ａと下部側壁パネル３ｂ、側壁パネル４の上部側壁パネル４ａと下部側壁パネル４ｂは、その長手方向の長さが同じとなるように形成されている。そして、上部側壁パネル３ａと下部側壁パネル３ｂ、及び上部側壁パネル４ａと下部側壁パネル４ｂのそれぞれの両側の側部に、スリット１４，１４が幅方向に形成されている。
【００５３】
スリット１４，１４（同じ側の側部に形成されたスリット１４）は、一直線上に配置されており、側壁パネル３，４を中間折線１１，１２で折り曲げて上部側壁パネル３ａ，４ａと下部側壁パネル３ｂ，４ｂとを重ね合わせたときに、互いに重なり合うようにして形成されている。また、スリット１４，１４は、側壁パネル３，４，５，６を立ち上げて隣り合う側壁パネルを結合させる際に側壁パネル５，６の係止片１８を挿し込んで係止片１８の係止部１８ｂを側壁パネル３，４に係止させることができる位置に形成されている。
【００５４】
側壁パネル５，６の上部側壁パネル５ａ，６ａの長手方向の両側縁部に形成された係止片１８の基部１８ａは、先端側に向かって次第に幅狭となるようにして形成され、基部１８ａよりも先端側に形成された係止部１８ｂは、円形状に形成されている。これにより、係止片１８は、略かぎ穴形状に形成されている。
【００５５】
前記基部１８ａは、少なくともその先端部分すなわち係止部１８ｂとの境界部分（くびれ部分）の幅が前記スリット１４に挿し込むことができるように形成されている。また、前記係止片１８の係止部１８ｂには、基部１８ａとの境界部分から、該境界部分の基部１８ａの幅の間隔を有して互いに平行に形成された第１折線１９ａ，１９ａが係止片の先端まで形成されており、この第１折線１９ａ，１９ａで係止部１８ｂを折り曲げることにより係止片１８をスリット１４に挿し込むことができるようになっている。また、符号１９ｂは、基部１８ａの基端部（上側側壁パネル５ａ，６ａとの境界部）に形成された第２折線であり、係止片１８をスリット１４に挿し込むときに、この第２折線１９ｂで係止片１８を折り曲げるようになっている。
【００５６】
前記隙間充填パネル２２は、本例にあっては、隣り合う下部側壁パネル３ｂと５ｂ、４ｂと５ｂ、４ｂと６ｂ、３ｂと４ｂに境界折線２１ａ，２１ｂを介して連接された正方形形状の第１隙間充填パネル２２ａと、この第１隙間充填パネル２２ａと折線５１を介して連接されるとともに、上部側壁パネル３ａ，４ａと境界折線５２を介して連接された正方形形状の第２隙間充填パネル２２ｂとで構成されている。前記第１隙間充填パネル２２ａには、第２隙間充填パネル２２ｂと底部パネル２とを結ぶ対角線上に斜め折線５３が形成されている。なお、本例では下部側壁パネル５ｂ，６ｂには前記スリット２０は形成されていない。
【００５７】
次に、このように構成された簡易トイレ成形用紙５０を用いての簡易トイレの成形について説明する。
【００５８】
先ず、猫用に用いる簡易トイレを成形する工程の一例について図１２乃至図１５を参照して説明する。
【００５９】
図１２は、猫用の簡易トイレを示す斜視図である。
【００６０】
図において、符号６０は猫用の簡易トイレを示しており、この猫用の簡易トイレ６０は、底部パネル２の周囲から立ち上がる側壁６１を有し、上部が開口した容器形状に成形されている。前記側壁６１は、隣り合う側壁パネルを立ち上げて該隣り合う側壁パネル同士を結合することにより形成され、これによって猫用の簡易トイレ６０が成形されている。前記側壁６１は、側壁パネル３，４，５又は６の高さ（幅）、すなわち、各側壁パネル３，４，５，６の上部側壁パネル３ａ，４ａ，５ａ又は６ａと下部側壁パネル３ｂ，４ｂ，５ｂ又は６ｂとを合わせた高さ（幅）を有している。
【００６１】
このような猫用の簡易トイレ６０を成形するための隣り合う側壁パネル同士の結合は、例えば、以下のようにして行う。
【００６２】
図１３〜図１５に、猫用の簡易トイレ６０を成形する際の側壁パネル３と側壁パネル６の結合の様子の一例を示す。これら側壁パネル３と側壁パネル６とを結合するには、先ず簡易トイレ成形用紙５０の折線７で折り曲げて側壁パネル３を立ち上げる。このとき、隙間充填パネル２２も境界折線２１ｂ（下部側壁パネル６ｂとの境界部分の境界折線）で折り曲げて側壁パネル３と一緒に立ち上がる。
【００６３】
次に、側壁パネル６を折線１０で折り曲げて立ち上げる。このとき、隙間充填パネル２２を、境界折線２１ａ、境界折線５２で内側に折り曲げるとともに、第１隙間充填パネル２２ａを前記斜め折線５３で谷折りで三角形状に折り曲げ、隙間充填パネル２２を内側に折り込む。そして、前記係止片１８の係止部１８ｂを前記第１折線１９ａ，１９ａで折り曲げることによって係止部１８ｂを前記基部１８ａの先端部分の幅と同幅とした後、側壁パネル６を底部パネル２に対して直角に立ち上げ、係止片１８を第２折線１９ｂで折り曲げて前記上部側壁パネル３ａのスリット１４に外側から内側に向かって挿し込む。そして、係止部１８ｂが完全にスリット１４を通過した後、前記係止部１８ｂを広げることにより、係止片１８を側壁パネル３に係止させる。
【００６４】
以上により、側壁パネル３と側壁パネル６とが結合される。そして、同様にして他の隣り合う側壁パネル同士を結合させることにより側壁６１が形成され猫用の簡易トイレ６０が成形される。
【００６５】
次に、犬用に用いる簡易トイレを成形する工程の一例について、図１６乃至図１９を参照して説明する。
【００６６】
図１６は、犬用の簡易トイレを示す斜視図である。
【００６７】
図において、符号７０は犬用の簡易トイレを示しており、この犬用の簡易トイレ７０は、底部パネル２の周囲から立ち上がる側壁７１を有し、前記猫用の簡易トイレ６０と同様、上部が開口した容器形状に成形されている。前記側壁７１は、隣り合う側壁パネルを立ち上げて該隣り合う側壁パネル同士を結合することにより形成され、これによって犬用の簡易トイレ７０が成形されている。前記側壁７１は、側壁パネル３，４，５，６が中間折線１１，１２，１６，１７で折り曲げられ、下部側壁パネル３ｂ，４ｂ，５ｂ又は６ｂの高さ（幅）、或いは上部側壁パネル３ａ，４ａ，５ａ，６ａの高さ（幅）を有して形成されており、前記猫用の簡易トイレ６０の側壁６１よりも高さが低くなっている。
【００６８】
このような犬用の簡易トイレ７０を成形するための隣り合う側壁パネル同士の結合は、例えば、以下のようにして行う。
【００６９】
図１７〜図１９に、犬用の簡易トイレ７０を成形する際の側壁パネル３と側壁パネル６の結合の様子の一例を示す。これら側壁パネル３と側壁パネル６とを結合するには、先ず簡易トイレ成形用紙５０の折線７で折り曲げて側壁パネル３を立ち上げ、立ち上げた側壁パネル３の上部側壁パネル３ａを中間折線１１で内側に折り曲げる。このとき、隙間充填パネル２２も境界折線２１ｂ（下部側壁パネル６ｂとの境界部分の境界折線）で折り曲げて側壁パネル３と一緒に立ち上がるとともに、折線５１で折り曲げられる。なお、中間折線１１で折り曲げられて重なり合った状態の上部側壁パネル３ａと下部側壁パネル３ｂのそれぞれのスリット１４，１４は重なり合っており、後述のように係止片を外側から内側に挿し込むことができるようになっている。
【００７０】
次に、側壁パネル６を折線１０で折り曲げて立ち上げるとともに、立ち上げた側壁パネル６の上部側壁パネル６ａを中間折線１７で外側に折り曲げる。このとき、隙間充填パネル２２を、境界折線２１ａ、境界折線５２（図１８においては不図示）で内側に折り曲げるとともに、第１隙間充填パネル２２ａを前記斜め折線５３で谷折りで三角形状に折り曲げて、隙間充填パネル２２を内側に折り込む。そして、側壁パネル６を底部パネル２に対して直角に立ち上げ、前記係止片１８の係止部１８ｂを前記第１折線１９ａ，１９ａで折り曲げることによって係止部１８ｂを前記基部１８ａの先端部分の幅と同幅とした後、この係止片１８を第２折線１９ｂで折り曲げて前記上部側壁パネル３ａ及び下部側壁パネル３ｂのスリット１４，１４に外側から内側に向かって挿し込む。そして、係止部１８ｂが完全にスリット１４，１４を通過した後、前記係止部１８ｂを広げることにより、係止片１８を側壁パネル３に係止させる。
【００７１】
以上により、側壁パネル３と側壁パネル６とが結合される。そして、同様にして他の隣り合う側壁パネル同士を結合させることにより側壁７１が形成され猫用の簡易トイレ７０が成形される。このとき、側壁７１は上部側壁パネル３ａ，４ａ，５ａ又は６ａと下部側壁パネル３ｂ，４ｂ，５ｂ又は６ｂとを重ね合わせた状態で形成されている。
【００７２】
以上説明した本例の簡易トイレ成形用紙５０によっても、前記第１の実施の形態と同様の効果を奏する。
【００７３】
なお、本発明に係る簡易トイレ成形板材の素材は、折り曲げて容器形状に成形できるものであれば紙素材に限られるものではなく、例えば、折り曲げて容器形状に成形できるプラスチック製の薄い板材であってもよい。
【００７４】
また、上記各実施の形態において、隣り合う側壁パネル同士を結合するための結合手段は、前記スリット１４と係止片１８に限られるものではない。例えば、前記スリット１４を設けず、前記係止片１８に粘着剤を塗布してその上に剥離紙を剥離可能に貼っておき、隣り合う側壁パネル同士を結合する際にこの剥離紙を剥がして前記係止片１８を隣り合う側壁パネルの側部に貼り付けることにより、隣り合う側壁パネル同士を結合してもよい。
【００７５】
また、上記各実施の形態において、隣り合う側壁パネル同士を結合する手順（折り曲げ手順）は、上記説明の手順に限られるものではない。
【図面の簡単な説明】
【００７６】
【図１】本発明の第１の実施の形態に係る簡易トイレ成形用紙を示す展開図。
【図２】図１に示す簡易トイレ成形用紙を用いて成形された猫用の簡易トイレを示す斜視図。
【図３】図２に示す猫用の簡易トイレを成形する際の側壁パネルの結合の工程の一例を示す図。
【図４】図２に示す猫用の簡易トイレを成形する際の側壁パネルの結合の工程の一例を示す図。
【図５】図２に示す猫用の簡易トイレを成形する際の側壁パネルの結合の工程の一例を示す図。
【図６】側壁が形成された猫用の簡易トイレの内側の部分を示す斜視図である。
【図７】図１に示す簡易トイレ成形用紙を用いて成形された犬用の簡易トイレを示す斜視図。
【図８】図７に示す犬用の簡易トイレを成形する際の側壁パネルの結合の工程の一例を示す図。
【図９】図７に示す犬用の簡易トイレを成形する際の側壁パネルの結合の工程の一例を示す図。
【図１０】図７に示す犬用の簡易トイレを成形する際の側壁パネルの結合の工程の一例を示す図。
【図１１】本発明の第２の実施の形態に係る簡易トイレ成形用紙を示す展開図。
【図１２】図１１に示す簡易トイレ成形用紙を用いて成形された猫用の簡易トイレを示す斜視図。
【図１３】図１２に示す猫用の簡易トイレを成形する際の側壁パネルの結合の工程の一例を示す図。
【図１４】図１２に示す猫用の簡易トイレを成形する際の側壁パネルの結合の工程の一例を示す図。
【図１５】図１２に示す猫用の簡易トイレを成形する際の側壁パネルの結合の工程の一例を示す図。
【図１６】図１１に示す簡易トイレ成形用紙を用いて成形された犬用の簡易トイレを示す斜視図。
【図１７】図１６に示す犬用の簡易トイレを成形する際の側壁パネルの結合の工程の一例を示す図。
【図１８】図１６に示す犬用の簡易トイレを成形する際の側壁パネルの結合の工程の一例を示す図。
【図１９】図１６に示す犬用の簡易トイレを成形する際の側壁パネルの結合の工程の一例を示す図。
【符号の説明】
【００７７】
１      簡易トイレ成形用紙
２      底部パネル
２ａ〜２ｄ    側縁部
３〜６      側壁パネル
３ａ〜６ａ    上部側壁パネル
３ｂ〜６ｂ    下部側壁パネル
７〜１０      折線
１１，１２      中間折線
１３      スリット
１４      スリット
１５      小スリット
１６，１７      中間折線
１８      係止片
１８ａ    基部
１８ｂ    係止部
１９      折線
１９ａ    第１折線
１９ｂ    第２折線
２０      スリット
２１ａ，２１ｂ    境界折線
２２      隙間充填パネル
２３      切欠
２４      挿し込み片
２５      斜め折線
３０，６０    猫用の簡易トイレ
３１，４１，６１，７１      側壁
４０，７０    犬用の簡易トイレ
【図１】
2005185186.tif 000003
【図２】
2005185186.tif 000004
【図３】
2005185186.tif 000005
【図４】
2005185186.tif 000006
【図５】
2005185186.tif 000007
【図６】
2005185186.tif 000008
【図７】
2005185186.tif 000009
【図８】
2005185186.tif 000010
【図９】
2005185186.tif 000011
【図１０】
2005185186.tif 000012
【図１１】
2005185186.tif 000013
【図１２】
2005185186.tif 000014
【図１３】
2005185186.tif 000015
【図１４】
2005185186.tif 000016
【図１５】
2005185186.tif 000017
【図１６】
2005185186.tif 000018
【図１７】
2005185186.tif 000019
【図１８】
2005185186.tif 000020
【図１９】
2005185186.tif 000021